(57)【特許請求の範囲】
【請求項１】
ヘッドホンであって、
スピーカのペアと、
第１の絡み合った繊維で形成された繊維ベースケーブルと
を備え、
前記繊維ベースケーブルはシームレスＹ接合部を有し、
前記繊維ベースケーブルの第１ブランチは前記シームレスＹ接合部の１つの側でオーディオプラグに接続され、
前記繊維ベースケーブルの第２ブランチ及び第３ブランチはそれぞれ、前記シームレスＹ接合部の別の側で前記スピーカのペアのそれぞれのスピーカに接続され、
前記スピーカのペアは第２の絡み合った繊維で少なくとも部分的に形成されたそれぞれのイヤホンを含み、
前記それぞれのイヤホンの前記第２の絡み合った繊維は、音を遮断するように構成された絡み合った繊維の第１部分と、音を透過するように構成された絡み合った繊維の第２部分とを有することを特徴とするヘッドホン。
【請求項２】
前記繊維ベースケーブルは第１導電ワイヤ束及び第２導電ワイヤ束を有し、
前記第１導電ワイヤ束は前記繊維ベースケーブルの前記第１ブランチ及び前記第２ブランチに含まれ、
前記第２導電ワイヤ束は前記繊維ベースケーブルの前記第１ブランチ及び前記第３ブランチに含まれる
ことを特徴とする請求項１に記載のヘッドホン。
【請求項３】
前記繊維ベースケーブルの前記第２ブランチの一部にコントローラを更に備え、
前記第１導電ワイヤ束の少なくとも１つの導電ワイヤは前記コントローラに接続される
ことを特徴とする請求項２に記載のヘッドホン。
【請求項４】
前記少なくとも１つの導電ワイヤは所与の領域以外で前記繊維ベースケーブルの長さに沿って絡み合った繊維で囲まれ、
前記少なくとも１つの導電ワイヤは前記所与の領域で前記繊維ベースケーブルの表面に位置する
ことを特徴とする請求項３に記載のヘッドホン。
【請求項５】
前記少なくとも１つの導電ワイヤはワイヤのペアを有し、前記ワイヤのペアの各ワイヤは前記所与の領域にスイッチ端子を形成する剥がされた部分を有することを特徴とする請求項４に記載のヘッドホン。
【請求項６】
前記繊維ベースケーブルの一部は前記オーディオプラグの第１部分を覆うシースを形成することを特徴とする請求項１乃至５の何れか１項に記載のヘッドホン。
【請求項７】
前記繊維ベースケーブルは前記シースに組み込まれるとともに前記オーディオプラグの第１部分を覆うバインダを更に有することを特徴とする請求項６に記載のヘッドホン。
【請求項８】
前記繊維ベースケーブルは剛性張力緩和構造体を有し、
前記第１の絡み合った繊維は前記剛性張力緩和構造体の少なくとも一部の周りにシースを形成する
ことを特徴とする請求項１乃至７の何れか１項に記載のヘッドホン。
【請求項９】
前記繊維ベースケーブルは長さ及び柔軟性を有し、
前記繊維ベースケーブルの前記長さに沿って前記柔軟性を調整するように前記繊維ベースケーブルにバインダが選択的に組み込まれる
ことを特徴とする請求項１乃至８の何れか１項に記載のヘッドホン。
【請求項１０】
ヘッドホンケーブル用のシースを形成する方法であって、
絡み合わせツールに、第１タイプの繊維と、前記第１タイプの繊維とは異なる音響特性を有する第２タイプの繊維とを含む複数の繊維を搭載する工程と、
前記絡み合わせツールを用いて前記第１タイプの繊維と前記第２タイプの繊維とを絡み合わせて、音を遮断するように構成された絡み合った繊維の第１部分と、音を透過するように構成された絡み合った繊維の第２部分とを有する絡み合った繊維を形成する工程と、
前記絡み合った繊維の少なくとも一部にバインダを組み込む工程と、
前記シースを形成するように前記組み込まれたバインダを硬化する工程と、
前記絡み合わせる工程の間に、シームレスＹ接合部の１つの側に第１ブランチを与え、前記シームレスＹ接合部の別の側に第２ブランチ及び第３ブランチを与えるように前記絡み合わせツールを用いて前記シームレスＹ接合部を生成する工程とを有し、
前記第１ブランチの第１端を有する前記複数の繊維のそれぞれは、前記第２ブランチ又は前記第３ブランチのいずれかに第２端を有することを特徴とする方法。
【請求項１１】
前記組み込む工程は、前記シースの長さに沿った前記シースの強度を変えるためにマトリクス組み込みツールを用いて前記シースの前記絡み合った繊維にバインダを選択的に組み込む工程を含むことを特徴とする請求項１０に記載の方法。
【請求項１２】
前記絡み合わせる工程は、前記第２タイプの繊維に対する前記第１タイプの繊維の比率が前記シースの長さに沿って変わるように、前記搭載された複数の繊維のうちの前記第２タイプの繊維に、前記搭載された複数の繊維のうちの前記第１タイプの繊維を組み込む工程を含む
ことを特徴とする請求項１０又は１１に記載の方法。
【発明の詳細な説明】
【技術分野】
【０００１】
本発明は絡み合った繊維で形成された構造体に関し、より具体的には絡み合った繊維で電子デバイス用の構造体を形成する手法に関する。
【０００２】
本出願は２００９年１２月１４日に出願された米国特許出願第１２／６３７，５０９号、２００９年１２月１４日に出願された米国特許出願第１２／６３７，３５５号及び２００９年６月１０日に出願された米国特許出願第６１／１８５，９３４号に優先権を主張し、これらはその全体が参照により本明細書に組み込まれる。
【背景技術】
【０００３】
他の製作技術を用いて実施するのが困難又は不可能であろう構造体を作成するために近年の織機（weaving equipment）、組機（braiding equipment）及び編機（knitting equipment）が用いられうる。例えば、他の材料で形成された筐体構造よりも軽くて強い電子デバイス用の筐体構造を形成するために炭素繊維織布が用いられてもよい。可撓性ケーブルシースは繊維編組ツールを用いて形成されてもよい。多くの医療デバイスが繊維で形成される。例えば、分岐代用血管及び他の心臓血管デバイスが繊維で形成されてもよい。
【発明の概要】
【０００４】
ケーブル用シース、ヘッドセットのようなアクセサリの一部及び他の構造体を形成する際に絡み合った繊維が用いられてもよい。
【０００５】
織物、組物及び編物のためのツールのような繊維絡み合わせ装置（fiber intertwining equipment）が繊維を絡み合わせるために用いられてもよい。この装置を用いて絡み合わされる繊維はポリマー繊維、金属繊維、絶縁体被覆金属繊維、ガラス繊維又は他の適切な繊維を含んでもよい。絡み合わされると、エポキシ又は他の適切なマトリクスのようなバインダが絡み合った構造体に組み込まれ、硬化されてもよい。
【０００６】
製作プロセス中に変わりうるパラメータは、構造体の特定の領域に組み込まれる繊維の本数、繊維の間隔、繊維のタイプ、バインダのタイプ、バインダの位置などを含む。これらの要因を選択的に変えることによって、構造体の相異なる領域が相異なる柔軟性、（例えば透音性（audio transparency）、水分浸透などを調整するための）相異なる密度、相異なる導電性などを有する構造体が形成されうる。絡み合わせ装置を用いて形成されてもよい形状は、分岐構造（例えば、二股構造）、可変直径の管状構造、潜在的に複合曲面を有する構造などを含む。
【０００７】
好適な添付の図面及び実施形態の以下の詳細な説明から本発明の更なる特徴、その特性及び様々な利点が一層明らかになるだろう。
【図面の簡単な説明】
【０００８】
【図１】本発明の実施形態に係る絡み合った繊維を有する構造体を製作するために用いられてもよい例示の製作装置の概略図である。
【図２】本発明の実施形態に係る構造体を製作する際に、絡み合わせパラメータ及びバインダ組み込みパラメータのようなパラメータが構造体の位置の関数としてどのように変わりうるかを示すグラフである。
【図３】本発明の実施形態に係る単位面積あたりの繊維の本数が位置の関数としてどのように変わりうるかを示す例示の構造体の側面図である。
【図４】本発明の実施形態に係る用いられる繊維のタイプが位置の関数としてどのように変わりうるかを示す例示の構造体の側面図である。
【図５】、
【図６】、
【図７】本発明の実施形態に係る構造体を形成する際に用いられてもよい例示のバインダ組み込みパターンの側面図である。
【図８】本発明の実施形態に係る繊維絡み合わせプロセスの間に変わった直径を有する例示の管状構造体の図である。
【図９】本発明の実施形態に従う繊維を絡み合わせることによって形成された複合曲面を有する筐体を備える例示の電子デバイスの透視図である。
【図１０】本発明の実施形態に従う繊維を絡み合わせることによって形成され、電子コンポーネントとディスプレイ画面とを含む複合筐体曲面を有する例示の電子デバイスの断面側面図である。
【図１１】本発明の実施形態に係る図１０で示されたタイプの電子デバイスの背面図である。
【図１２】本発明の実施形態に係る構造支持部材を実装するために用いられた装飾用カバー層と繊維シートとを形成するために用いられた絡み合った繊維の層を有する例示の構造体の断面側面図である。
【図１３】本発明の実施形態に係る繊維シートが複合曲面形状を収容することを助けるように部材が除去された部分を示す図１２に示されたタイプの例示の繊維シートの平面図である。
【図１４】本発明の実施形態に係る複合曲面形状に適応させるために固体支持体又は骨格フレームのような内部支持構造体が絡み合わされた繊維層で覆われた例示の構造の断面側面図である。
【図１５】本発明の実施形態に係る絡み合った繊維を用いて形成されてもよい例示の電子デバイスの透視図である。
【図１６】本発明の実施形態に係る絡み合わせ装置で形成された分岐（二股）管状構造体の透視図である。
【図１７】本発明の実施形態に係る電子デバイス用ケーブルのような管状構造の断面図である。
【図１８】本発明の実施形態に係るバインダを絡み合った繊維に選択的に組み込むために用いられてもよい例示の樹脂トランスファー形成装置の断面側面図である。
【図１９】本発明の実施形態に係るバインダを管状構造体に組み込むために用いられてもよい例示の製造装置の平面図である。
【図２０】本発明の実施形態に係る二股部分を有する絡み合った繊維の連続した管から、管の長さを切断することによってどのようにヘッドセットケーブルが形成されてもよいかを示す図である。
【図２１】本発明の実施形態に係る絡み合った導電繊維で形成された例示のスイッチの断面図である。
【図２２】本発明に係るスイッチ又は他の構造体で用いられる導電電極部を有する絡み合った繊維の管の透視図である。
【図２３】本発明に係る導電繊維と絶縁分岐分離部材とを有する複数ブランチの繊維管で形成された例示のスイッチの断面図である。
【図２４】本発明の実施形態に係る高密度で比較的小さな音量を通す部分と低密度で比較的大きな音量を通す部分とを有する例示の繊維イヤホン構造体の側面図である。
【図２５】本発明の実施形態に係る関連するシース管の相異なる部分が相異なる量の剛性をどのように与えられてもよいかを示す３．５ｍｍオーディオプラグのような例示のオーディオコネクタの側面図である。
【図２６】本発明の実施形態に係る絡み合った繊維で形成されてもよい例示のオーディオプラグ及び関連するケーブルシースの断面側面図である。
【図２７】本発明の実施形態に係るケーブルの長さに沿ってケーブルの柔軟性を調整するようにバインダが選択的に組み込まれた繊維ケーブルを有する例示のオーディオプラグを説明する側面図である。
【図２８】本発明の実施形態に係るケーブルの柔軟性を段階的に調整するために半径方向に非対称なパターンでバインダがケーブルにどのように組み込まれてもよいかを示すオーディオプラグ及び繊維ケーブルの透視図である。
【図２９】本発明の実施形態に係る繊維絡み合わせ・バインダ組み込み装置を用いて電子デバイス構造体に形成されてもよいタイプの例示の複合構造体の透視図である。
【図３０】本発明の実施形態に係る可撓性ヒンジ部及び剛性上側・下側平面部を備えてもよいコンピュータ筐体や電子デバイス用着脱可能保護ケースのような繊維ベース構造体の透視図である。
【図３１】本発明の実施形態に係る可撓性ポケット部及び剛性平面部を繊維ベース構造体にどのように与えられてもよいかを示す図である。
【図３２】本発明の実施形態に係る高周波（ＲＦ）アンテナを形成するために相異なる領域内の相異なる性質を有する繊維で形成された筐体を有する例示の電子デバイスの透視図である。
【図３３】本発明の実施形態に係るデバイス内にアンテナ及び送受信機回路がどのように搭載されてもよいかを示す図３２に示されたタイプの例示の電子デバイスの断面側面図である。
【図３４】本発明の実施形態に係る選択的に組み込まれたバインダを有する繊維ベース構造体を形成する際に伴う例示のステップのフローチャートである。
【図３５Ａ】本発明の実施形態に係る繊維ベース構造体を形成する際に用いられてもよい例示のモノフィラメント繊維の断面図である。
【図３５Ｂ】本発明の実施形態に係る繊維ベース構造体を形成する際に用いられてもよい例示のマルチフィラメント繊維の断面図である。
【図３５Ｃ】本発明の実施形態に係る繊維ベース構造体を形成する際に用いられてもよい複数の部材を含む混成構造体で形成された例示のモノフィラメント繊維の断面図である。
【図３５Ｄ】本発明の実施形態に係る繊維ベース構造体を形成する際に用いられてもよい相異なるタイプの部材で形成されたフィラメントを有する例示のマルチフィラメント繊維の断面図である。
【図３５Ｅ】本発明の実施形態に係る混成繊維で形成された例示のマルチフィラメント繊維の断面図である。
【図３６Ａ】本発明の実施形態に係る絶縁ワイヤ及びモノフィラメント繊維を含む繊維ベースケーブルの断面図である。
【図３６Ｂ】本発明の実施形態に係る絶縁ワイヤ及びマルチフィラメント繊維を含む繊維ベースケーブルの断面図である。
【図３７】本発明の実施形態に係る絶縁ワイヤ及び２種類以上の繊維を含む繊維ベースケーブルの断面図である。
【図３８】本発明の実施形態に係る管状の二股繊維ベースケーブルの透視図である。
【図３９Ａ】、
【図３９Ｂ】本発明の実施形態に係る合流するブランチを有するリボン状の繊維ベースケーブルの透視図である。
【図４０】本発明の実施形態に係る重畳するブランチを有するリボン状の繊維ベースケーブルの透視図である。
【図４１Ａ】本発明の実施形態に係る矩形輪郭を有する例示のリボン状の繊維ベースケーブルの断面図である。
【図４１Ｂ】本発明の実施形態に係る丸みを帯びた角の矩形輪郭を有する例示のリボン状の繊維ベースケーブルの断面図である。
【図４１Ｃ】本発明の実施形態に係る扁平な楕円輪郭を有する例示のリボン状の繊維ベースケーブルの断面図である。
【図４１Ｄ】本発明の実施形態に係る楕円輪郭を有する例示のリボン状の繊維ベースケーブルの断面図である。
【図４２】本発明の実施形態に係る１つのアームに配置されたスイッチを有する繊維ベースケーブルで形成された例示のヘッドセットの透視図である。
【図４３Ａ】本発明の実施形態に係るアクセサリに用いられてもよい例示の繊維ベースケーブルの一部の透視図である。
【図４３Ｂ】本発明の実施形態に係る図４３ＡのＸ−Ｘ断面線のようなケーブルの部分におけるケーブルのセンターコアにどのように導電ワイヤが位置してもよいかを示す例示の繊維ベースケーブルの断面図である。
【図４３Ｃ】本発明の実施形態に係るスイッチ構造の一部を形成するために導電ワイヤがどのように選択的にケーブルの表面にもたらされてもよいかを示す例示の繊維ベースケーブルの断面図である。
【図４３Ｄ】本発明の実施形態に係る図４３ＡのＺ−Ｚ断面線のようなケーブルの一部におけるケーブルのセンターコアにどのように導電ワイヤが位置してもよいかを示す例示の繊維ベースケーブルの断面図の断面図である。
【図４４Ａ】本発明の実施形態に係るボタンアセンブリを有する繊維ベースケーブルの一部の断面図である。
【図４４Ｂ】本発明の実施形態に係る図４４ＡのＸ−Ｘ断面線に沿った図４４Ａに示されるタイプのケーブルの断面図である。
【図４４Ｃ】本発明の実施形態に係る図４４Ａのケーブルのブタンアセンブリ部分を通り、図４４ＡのＹ−Ｙ断面線に沿った図４４Ａに示されるタイプのケーブルの断面図である。
【図４４Ｄ】本発明の実施形態に係る図４４ＡのＺ−Ｚ断面線に沿った図４４Ａに示されるタイプのケーブルの断面図である。
【発明を実施するための形態】
【０００９】
本発明の実施形態に係る絡み合った繊維を有する構造体を製作するために用いられてもよい例示の製作装置の概略図が図１に示される。製作装置は任意の適切なデバイス用の繊維ベース構造体を形成するために用いられてもよい。電子デバイス筐体、ヘッドセット用ケーブルシース、電子コネクタ及び他の電子装置のような電子デバイスの一部を形成するために製作装置１０が用いられる例が本明細書で例として記載されることもある。しかしながら一般に、製作装置１０は任意の適切なパーツ（例えば、医療用途、工業用途、電気部品を有さない機械的構造体などのためのパーツ）を形成するために用いられてもよい。
【００１０】
図１に示されるように、製作装置１０は繊維ソース１２から繊維を提供されてもよい。繊維ソース１２は任意の適切なタイプの繊維を提供してもよい。繊維の例として、金属繊維（例えば、スチール又は銅のストランド）、ガラス繊維（例えば、全反射により光を内部的に伝達できる光ファイバの繊維）、プラスティック繊維などを含む。一部の繊維（例えば、アラミド繊維のようなポリマー）は高い強度を呈してもよい。ナイロンのような他の繊維が（例えばテイバーテストで高性能を呈することによって、）良好な磨耗耐性を示してもよい。さらに別の繊維は、（例えば塑性変形を呈すことなく伸びるように）高い柔軟性を有してもよい。ソース１２により提供される繊維は、磁気繊維、導電繊維、絶縁繊維又は他の材料特性を有する繊維であってもよい。
【００１１】
繊維は比較的細い（例えば、直径が２０マイクロン未満又は５マイクロン未満、すなわち、カーボンナノチューブ又はカーボン繊維）であってもよいし、比較的太くてもよい（例えば、金属ワイヤ）。ソース１２により提供される繊維は（フィラメントと呼ばれることもある）細い繊維がねじられた束で形成されてもよいし、単一のねじられていない部材の単一繊維としてソース１２から提供されてもよい。これらの個別の構造にかかわらず（すなわち、太いか、細いか、ねじられているか、その他に細い繊維から形成されているかにかかわらず）、繊維ソース１２からの部材のストランドは本明細書で繊維と呼ばれる。ソース１２からの繊維はまた、ひも（cord）、スレッド（thread）、ロープ（rope）、糸（yarn）、フィラメント、ストリング、より糸（twine）などと呼ばれることもあってもよい。
【００１２】
絡み合わせツール（群）１４は任意の適切な繊維絡み合わせ技術に基づいてもよい。例えば、絡み合わせ装置１４は、コンピュータ制御製織ツール、（例えば、管状構造を形成するための）コンピュータ制御編組ツール及び／又はコンピュータ制御編物装置（例えば、ブランチ、複合曲面及び他のこのような複雑な形状を有する絡み合った繊維構造体を生産できる３次元編物ツール）を含んでもよい。これらのツールは本明細書で集合的に絡み合わせツール（群）１４と呼ばれることもある。
【００１３】
ツール１４は絡み合った繊維構造体を形成する。マトリクス組み込みツール（群）１６は、バインダ材料を絡み合った繊維に組み込むために（例えば、これらの構造体に剛性や他の適切な性質を与えるために）用いられてもよい。マトリクスと呼ばれることもあるバインダは、エポキシ又は他の適切な材料から形成されてもよい。これらの材料は熱硬化性材料（例えば、再加熱に対してリフローしない樹脂から形成されたエポキシのような材料）や熱可塑性材料（例えば、アクリロニトリル・ブタジエン・スチレンのような材料、ポリカーボネート、再加熱可能なＡＢＳ／ＰＣブレンド）に分類されることがあってもよい。必要ならば熱硬化性材料及び熱可塑性材料の両方並びに熱硬化性材料及び熱可塑性材料の組合せがバインダとして用いられてもよい。
【００１４】
ツール１６は、型、噴霧装置及び絡み合わせ装置１４により生産された絡み合った繊維の部分にバインダを組み込むための他の適切な装置を含んでもよい。ツール１６は必要ならば相異なる量でワークピースの相異なる部分にバインダを選択的に組み込むことができるコンピュータ制御装置及び／又は手動操作型装置を含んでもよい。例えば、繊維構造体を硬化することが望まれる場合に、絡み合った繊維により多くの樹脂が組み込まれうるが、柔軟な構造体が形成される場合に絡み合った繊維により少ない樹脂が組み込まれうる。このようにして同一の構造体の相異なる部分が相異なる柔軟性を有するように形成されうる。その後、硬化される（例えば、熱又は紫外線を用いて、バインダが硬化され、固まる）。（図１で完成パーツ２０と呼ばれる）結果の構造体はコンピュータ構造体、他の電子装置用の構造体などに用いられうる。
【００１５】
構造体を製作する際に構造体内の位置の関数として絡み合わせパラメータ及び組み込みパラメータのようなパラメータがどのように変わりうるかを示すグラフが図２に示される。図２のグラフの水平軸は繊維ベース構造体内の位置（例えば、ケーブルに沿った長さ又は平面に沿った側面の距離）を表す。垂直軸は変化するパラメータの大きさを表す。図２のグラフの線が示すように、パラメータは、増加傾向や、減少傾向や、周期的などで、滑らかに、連続的に、そして離散的に変わりうる。図２のグラフの線に従って変わりうるパラメータの例として、所与の面積における繊維の本数、個別の繊維のサイズ、隣接する繊維同士の間隔（間隙率又は繊維密度）、用いられるフィラメントのタイプ（繊維又は繊維の集合の絶縁性、磨耗耐性、導電性、強度、磁性などの量）及び組み込まれるバインダの量及び／又はタイプを含む。
【００１６】
図３は単位面積あたりの繊維の本数が位置の関数としてどのように変わりうるかを示す絡み合った繊維の管又は平面パッチのような例示の構造体の側面図である。領域２２では領域２４よりも単位面積あたりの繊維が多い。領域２４における構造体の部分は、領域２２における構造体の部分よりも弱く、多孔質であり、それ故、水分や音の透過性が高く、軽く、柔軟である。
【００１７】
図４に示されるように、構造体２６は、繊維２８及び繊維３０のような２以上の異なるタイプの繊維を有してもよい。これらの繊維は相異なる性質を有してもよい。図４の例では、領域３２では繊維３０よりも繊維２８の方が多い。しかしながら、領域３４では、繊維２８よりも繊維３０の方が広くいきわたっている。繊維のタイプのこの主の空間的変動によって、装置１０を用いた製作中に構造体２６の性質を空間的に調整できる。
【００１８】
図５、図６及び図７は相異なるパターンでバインダが組み込まれた構造体の例である。図５の構造体３６では、絡み合った繊維部分３８はバインダを用いずに形成されてもよいが、部分４０はバインダを含んでもよい。構造体３６は（例として）繊維管であってもよいし、平坦繊維ベース構造体であってもよい。図６の構造４２では、比較的大部分の単一のバインダ（領域４４）だけが存在し、領域４６にはバインダがない。図７の構造体４８では、領域５０にはバインダがないが、領域５２には相異なるパターンでバインダが組み込まれる。
【００１９】
装置１０は様々な形状（例えば、管、筐体表面のような平坦部材、球又は球の一部、複合曲線を有する形状、円柱又は円柱の一部、立方体、二股又は３つ以上に分岐した領域を有する管、これらの形状の組合せなど）の繊維ベース構造体を形成するために用いられうる。
【００２０】
図８は一部の領域（例えば領域５４）が他の領域（例えば領域５６）よりも短い直径Ｄを有する管又は他の構造体５８を装置１０がどのように形成するかを示す。
【００２１】
複合曲面を有する筐体を備える例示の電子デバイスの透視図が図９に示される。図９に示されるように、デバイス６０は部分６４のような平坦背面部を有する筐体又は他の構造体を有してもよい。デバイス６０はまた、４つの角部６２を有してもよい。各角部６２は複合曲面を有する。これらの曲面は従来の製織繊維シートで形成するのが困難又は不可能でありうる。
【００２２】
図１の装置１０で、構造体６０の平坦背面６４及び複合曲面角部６２の両方に適合する繊維ベース構造体（例えば、筐体又はカバー）を形成するために３次元（３Ｄ）編機又は他の絡み合わせツール１４が用いられうる。
【００２３】
図９の線６６に沿って、方向６８に見た図９のデバイス６０の断面側面図が図１０に示される。図１０に示されるように、デバイス１０は曲面側壁７０、ディスプレイ又は他の前面搭載コンポーネント７４及び内部電子デバイス７２（例えば、プロセッサ及びメモリ回路）を有してもよい。デバイス６０の背面図が図１１に示され、装置１０により生産された編物繊維を用いて皺や継ぎ目なく滑らかに覆われうる角部６２の曲面形状の部分を説明する。
【００２４】
複雑な非平坦形状に適合する絡み合った繊維の薄層を生産する装置１０の能力は複合曲面を有する装飾用カバー層を作成するために用いられうる。図１２に示されるように、デバイス筐体８０は複合曲面筐体形状（例えば、図９の角部６２）に適応するように切り取り部を有する繊維の平坦シートで形成された内部層７８を有してもよい。層７６は装置７６を用いて形成された装飾用正角カバー層であってもよい。層７６及び／又は層７８はマトリクス組み込みツールを用いてバインダを浸透されてもよい。
【００２５】
図１３は複合曲面形状（例えば、筐体の角部）に適応するように一部８２が除去された層７８のような平坦層の平面図である。このプロセスは装飾層７６（図１２）で隠される不体裁な継ぎ目を残す。
【００２６】
図１４は内部支持構造体（即ち、構造体８４）をどのように層７６が等角に覆い、デバイス８０が自身の前面に搭載されるディスプレイモジュール又は他のコンポーネント８６をどのように有しうるかを示すデバイス８０の断面側面図である。構造体８４は固体であってもよいし、（例えばフレーム又は骨格支持体のような）空洞であってもよいし、コンポーネントを含んでもよい。
【００２７】
絡み合った繊維構造体で構成されてもよい電子デバイスアクセサリの例は１組のオーディオヘッドホンである。例示のヘッドセットが図１５に示される。図１５に示されるように、ヘッドセット８８は主ケーブル部９２に含んでもよい。ケーブル９２は絡み合った繊維で形成されてもよいし、（例として）相異なるタイプ及び量の繊維と相異なるパターン及び量のバインダとで形成された部分を有してもよい。ケーブル９２の左右のブランチの端部にイヤホン９０（すなわち、それぞれ１つ以上のスピーカを含むイヤホン）が搭載されてもよい。領域９４では、ケーブル９２は二股（分岐領域）を有してもよい。特徴物９６は、スイッチ、マイクなどのための筐体であってもよい。ケーブル９２の端部はオーディオコネクタ（プラグ）９８で終端してもよい。コネクタ９８は例えば、メディアプレーヤ、携帯電話機、ポータブルコンピュータ又は他の電子デバイスの対応する３．５ｍｍオーディオジャックに係合する３．５ｍｍオーディオプラグであってもよい。
【００２８】
図１６は必要ならば絡み合わせツール１４が視認可能な継ぎ目なくケーブル９２のＹ接合部９４をどのように形成しうるかを示す。ケーブル９２の断面図が図１７に示される。図１７に示されるように、ケーブル９２は１つ、２つ又は３つ以上のワイヤを囲むシース１００のような管状シースを有してもよい。図１７の例では、シース１００内に２つの導電ワイヤ束がある。ワイヤ束１０２は金属繊維の第１集合で形成されてもよく、ワイヤ束１０４はワイヤ束の第２集合で形成されてもよい。束１０２、１０４内の個別のワイヤは（必要ならば）絶縁体の薄層で被覆されてもよい。シース１００はユーザによる使用中の損傷を防ぐための十分な強度と、ケーブル９２が曲がるような十分な柔軟性とを有する繊維で形成されてもよい。必要ならば、Ｙ分岐領域９４とイヤホン９０及びプラグ９８の近くのデバイス８８の部分とのような領域はこれらの領域を強化するためにより強い繊維とより多くのバインダとが提供されてもよい。
【００２９】
構造体９６はまたこのように強化されてもよい。例として、構造体９６はバインダで浸透されてもよいし、ケーブル９２の残りの大部分はバインダなしのままであってもよい。図１８はツール１０６のような樹脂トランスファー形成ツールが（例えば開口１０８を通じてツール１０６の内部にバインダ１１０を浸透させることによって）どのようにケーブル９２の領域９６にバインダ１１０を選択的に組み込むかを示す。
【００３０】
図１９に示されるように、バインダ１１０が噴霧ツール１１４からケーブル９２に向けて噴霧されている間に縦軸１２６の周りの方向１２４にケーブル９２が回転してもよい。バインダ１１０は紫外線光源１２０からの紫外線１２２を用いて硬化されてもよい。シールド１１６は、バインダ１１０がソース１２０から飛び出すのを防いでもよく、ノズル１２８の出口で光１２２がバインダ１１０を硬化するのを防いでもよい。
【００３１】
装置１０は連続プロセスを用いてケーブル９２を生産してもよい。図２０に示されるように、装置１０は周期的に分岐して２つの別々のブランチを形成し、その後２つのブランチが１つの管状構造を形成するように結合するケーブル形状を生産してもよい。このタイプの構成では、図１の後処理ツール１８が切断線１３０に沿ってケーブル９２を切断するために用いられてもよい。
【００３２】
図２１に示されるように、ケーブル９２は繊維１３２、１３４のような導電繊維を与えられてもよい。このタイプの構成は構造体９４内にスイッチを形成することが必要な場合に生産されてもよい。図２１に示されるように、構造体９６内の導電繊維１３２及び導電繊維１３４はギャップ領域１３６によって分離されてもよい。ユーザが方向１４０へ外縁を内側に絞り込む場合に、導電体１３２、１３４の対向する内部部分が接触でき、それによってスイッチが閉じる。
【００３３】
シース９２上の導電繊維は（例えば容量センサに基づくスイッチの一部として）キャパシタ電極を形成するために用いられてもよい。このタイプの構成は図２２のケーブル９２上の導電繊維バンド１４４によって説明される。
【００３４】
図２３の例では、スイッチ９６は、（それぞれがワイヤ束１０２、１０４で形成されたワイヤのような個別のケーブルワイヤに接続されてもよい）対向する金属導電部１３２、１３４で形成されている。ケーブル９２はスイッチ構造体９６の一方の端部で互いに再結合する２つのブランチを有してもよい。構造体９６の中心では、外向き付勢部材１４６（例えば、空気充填バルーン又はばね充填部材）が外側方向１４８へスイッチ接点１３２、１３４が互いに離れるように付勢するために用いられてもよく、これによりユーザが内向きに圧迫していない場合にスイッチ９６はオフになる。
【００３５】
例示の繊維ベースイヤホン及び関連するケーブルの側面図が図２４に示される。図２４に示されるように、イヤホン９０は領域１５０、１５２を有してもよい。領域１５０は領域１５２よりも多孔質であってもよく、領域１５２よりも柔軟性が高く（又は低く）てもよい。領域１５０が高多孔質であることにより、領域１５０はオーディオを透過してもよく、その結果として内部スピーカドライバからの音は妨げられずに領域１５０を通過してもよい。領域１５０は領域１５２よりも本数が少なく密度の低い絡み合った繊維を有してもよく、領域１５２よりも少ないバインダが組み込まれてもよく、又は全くバインダが組み込まれなくてもよい。（例えば、音をブロックするためや、剛性又は耐久性などを向上するために、）領域１５２を低多孔質にすることが望ましくてもよい。従って、領域１５０よりも多くのバインダが領域１５２に組み込まれてもよいし、及び／又は繊維がより高密度に絡み合わされてもよい。領域１５２において繊維密度及び／又はバインダ量を増加することに加えて、異なる繊維（例えば、高密度な繊維、太い繊維など）が領域１５２で用いられてもよい。領域１５４のケーブル９２は（例えば少ないバインダを有するか全くバインダを有しない）可撓性繊維で形成されてもよい。必要ならば、領域１５２の近くのケーブル９２の一部に剛性や強度などのためにより強い繊維、より多くの繊維、より多くのバインダが与えられてもよい。
【００３６】
図２５に示されるように、オーディオプラグ９８（又は他の電子コネクタ）に可撓性ケーブル部分９２と剛性内部張力緩和構造体１５８とが与えられてもよい。
【００３７】
金属プラグ構造体１６０はケーブル９２内のワイヤに接続されてもよい。領域１５６では、強度及び剛性を増加するためにケーブル９２の繊維にバインダが組み込まれてもよい。必要ならば、ケーブル９２にはまた、領域１５６において多い本数の強い繊維が与えられてもよく、及び／又は強度を更に増すために高密度繊維が与えられてもよい。これらのタイプの構造的特徴は任意の適切な電子コネクタに用いられてもよい。図２５のオーディオコネクタの使用は単なる例である。
【００３８】
図２６は支持（張力緩和）構造体１５８及びワイヤ１０２、１０４上でケーブル９２がどのように等角シースを形成しうるかを示す。
【００３９】
ケーブル９２の柔軟性は適切なエリアにバインダを選択的に組み込むことによってその長さに沿って調整されうる。このタイプの構成が図２７に示される。図２７の例では、コネクタ９８は部分１６０のような金属多接点部（例えば、３接点又は４接点のオーディオプラグ）を有してもよい。コネクタ９８の領域１６２はバインダで完全に充填されてもよい。（この例では）領域１６４の一部分（例えば、リング１６８）だけがバインダを与えられ、それ故ケーブル９２は領域１６２よりも領域１６４の方が高い柔軟性を有するだろう。領域１７０では、ケーブル９２の繊維にバインダが存在せず、それ故ケーブル９２は領域１７０で最高の柔軟性を有する。
【００４０】
コネクタ９８のための別の適切な構成が図２８に示される。図２８の例では、ケーブル９２は領域１７８にバインダを有さず、それ故この領域において柔軟性を有する。領域１７６では、柔軟性を低下するために、放射状非対称パターンのバインダ１７２が用いられる。領域１７４は領域１７２よりも多くのバインダを有し、それ故剛性及び構造的強度を有する。このタイプの構成により、領域１７６内のバインダパターンは剛性領域１７４と可撓性領域１７８との間の柔軟性緩和インタフェースとして機能できる。
【００４１】
図２９は穴１８２を有するフック１８０のような部分２０のための複雑な形状を形成するために装置１０がどのように用いられうるかを示す。フック１８０内の繊維は構造体の他の部分の繊維よりも強い材料で形成されてもよい。部分２０は（例として）電子デバイス筐体の不可欠な部分（integral portion）を形成してもよい。
【００４２】
図３０に示されるように、装置１０は剛性平坦部１８６のような剛性平坦部と可撓性ヒンジ１９０のような可撓性ヒンジ部とを有する構造体１８４のような構造体を形成してもよい。このタイプの構成は部分１８６、１８８にバインダを組み込むが、ヒンジ１９０には組み込まないことで提供されてもよい。構造体１８４はポータブルコンピュータ筐体や、メディアプレーヤ、携帯電話機などのような着脱可能電子デバイス用の折り畳み型ケースに用いられてもよい。
【００４３】
図３１に示されるように、繊維ベースケース又は他の繊維ベース構造体１９２は剛性バインダが充填された平坦部分１９４と可撓性を有するバインダなしの部分１９６とで形成されてもよい。部分１９６は携帯電話機又は音楽プレーヤを保持する可撓性ポケットとして機能してもよい。部分１９４には必要ならばマッチング前面が与えられてもよい。
【００４４】
繊維ベース構造体で形成される一部のパーツは電子デバイス筐体に用いられてもよいし、構造体の少なくとも一部分がアンテナに隣接する他の用途に用いられてもよい。このような状況では、１つ以上のアンテナ窓がこのパーツに組み込まれることが望ましい。例えば、導電繊維で形成される電子デバイス筐体では、高周波アンテナ信号を透過するアンテナ窓が電子デバイス筐体内のアンテナ上に形成されうる。アンテナ窓３０は筐体に固体誘電体窓を組み込み、（例えばエポキシ又は他の接着剤を用いて）導電繊維を固体窓に取り付けることによって形成されうる。アンテナ窓構造体はまた、電子デバイス筐体のパーツ内に統合繊維ベースアンテナ窓構造体を形成するように装置１０を用いて形成されうる。アンテナ窓構造体は、主にポリマー、ガラス又は他の誘電体を含む繊維で形成されてもよい。この材料は導電性を有しないので、アンテナ窓構造体は窓内の繊維の干渉を受けることなく高周波信号を通すことができる。
【００４５】
アンテナ窓を有する例示の繊維ベース構造体が図３２に示される。図３２の構造体２００は例えばメディアプレーヤ、携帯電話機、ポータブルコンピュータ又は他の電子デバイスのような電子デバイス用の筐体であってもよい。例えば、構造体２００は絡み合わせツール１４（例えば、３Ｄ編機）を用いて作成された複合形状を有する角部を含んでもよい。領域１９８では、筐体壁は絶縁部材又は導電部材若しくは絶縁部材と導電部材との組合せ（例えば、カーボン繊維、ポリマー、スチールフィラメントなど）で形成されうる。領域１９８の部材は導体（非誘電体）を含んでもよく、従って高周波無線信号を遮蔽してもよい。装置１０はアンテナ窓２０２の絡み合った繊維を形成し、それによって窓２０２の部材がアンテナ信号を透過することを保証する場合に、誘電体繊維を用いうる。
【００４６】
線２０１に沿った図３２の構造体２００の断面側面図が図３３に示される。図３３に示されるように、構造体２００は絡み合った繊維及び関連するバインダで形成された筐体壁１９８を有してもよい。領域２０２では、アンテナ窓は無線高周波信号を透過する誘電体繊維及びバインダを用いて形成される。これにより、高周波信号２１２はアンテナ２０６を用いた無線送受信動作中に窓２０２を通ることができる。単一バンドアンテナ又はマルチバンドアンテナの何れであってもよく、１つ以上の個別のアンテナ構造体を含んでもよいアンテナ２０６は伝送回路パスを用いてプリント回路基板２０４上の高周波送受信回路２１０に結合されてもよい。
【００４７】
図１の装置１０を用いた繊維ベース構造体の形成に伴う例示のステップが図３４に示される。ステップ２１４で、装置１０には１つ以上の相異なる繊維ソース（例えば、図１の繊維ソース１２）が提供されてもよい。適切な強度、伸縮性、柔軟性、磨耗耐性、絶縁性、導電性、色、重量、磁性などを提供する繊維が用いられてもよい。繊維の一部は鉄類のような金属で形成されてもよい。他の繊維はポリマー又はガラスで形成されてもよい。１つ、２つ、３つ、又は４つ以上の相異なるタイプの繊維ソースが所与の絡み合わせツール１４で利用可能であってもよい。各繊維は相異なる性質を有してもよく、正確に制御されたパーセンテージでワークピースに組み込まれてもよい。これにより、ツール１４は相異なる性質を有する部分を含む構造体を形成できる。
【００４８】
ステップ２１６で、ツール１４を用いて適切な形状及びサイズの繊維ベース構造体を形成されてもよい。相異なるタイプのツールが相異なるタイプの動作のために用いられてもよい。例えば、ヘッドセットケーブルシース用の連続的な又は半連続的な繊維ベース管を形成するためにコンピュータ制御組機が用いられてもよいし、統合アンテナ窓又は可撓性ヒンジ部を有するポータブルコンピュータ用の筐体側壁を形成するために織機が用いられてもよいし、装飾用又は構造的な筐体面をための複合曲面を有する筐体形状を形成するために３Ｄ編物ツールが用いられてもよい。これらのツールはそれぞれ、人手によって又は自動組立ツールによって組み立てられる別々のパーツを形成するために用いられてもよいし、更なる繊維ベースパーツを追加せずに完成する単一構造体を形成するために用いられてもよい。
【００４９】
ステップ２１８の動作中に、ステップ２１４の動作中に生産された絡み合った繊維にバインダを選択的に組み込むためにマトリクス組み込み装置１６が用いられてもよい。制御された量の柔軟性を与えるためにバインダがパターンで組み込まれてもよい。例えば、バインダパターンは同一形状又は様々な形状のリング（例えば、管又は他の細長い構造体の長さに沿った様々な点で柔軟性の量を滑らかに遷移させる他のパターンの幅を変えるリング）を含んでもよい。バインダパターンはまた、（例えばポータブルコンピュータ、ハンドヘルド電子デバイス又は他の構造体のための筐体壁のような剛体平坦構造体を形成するための）固体領域を含んでもよい。構造体の他の領域には、（例えば、最大の柔軟性が要求されるヒンジ構造体、ケーブル又はポケットや、オーディオ透過性が要求されるイヤホンスピーカポート又は筐体スピーカポートにおいて、）より少ないバインダが提供されてもよいし、バインダが提供されなくてもよい。
【００５０】
所望のパターンのバインダを絡み合った繊維構造体に組み込んだ後に、追加の処理ステップがステップ２２０の動作中に実行されてもよい。これらの動作は例えば、連続したストリームのパーツからヘッドセットパーツを切り出すことによってヘッドセットを組み立てること、構造的筐体部材に装飾用カバーを追加すること、個別の繊維ベース構造体を互いに連結したり繊維を含まないパーツに連結したりするために接着剤又は他の固定材を用いることなどを含んでもよい。
【００５１】
必要ならば、図３４のステップが繰り返されてもよいし、異なる順番で実行されてもよいし、これらの両方であってもよい。例えば、ステップ２１８でマトリクス組み込み動作が実行される前に２つ以上の絡み合った繊維パーツを組み立てることが望ましくてもよい。また、一連の増分動作を用いて複雑な構造を構築することが望ましくてもよい。このような各増分ステップの間に、繊維ベース材料の層がワークピースへ追加されてもよく、追加のバインダが組み込まれて硬化されてもよい。（例えば、）このような増分アプローチが繊維ベース構造体の一部に用いられてもよく、当該構造体の他の部分は単一の絡み合わせ動作及び単一のバインダ組み込み動作を用いて形成されてもよい。
【００５２】
繊維ベースケーブル及び他の繊維ベース構造体を構築するために用いられる繊維はナイロン、ポリエステル、ポリプロピレン、パラアラミド（長連鎖ポリアミド）、ＬＥＶＬＡＲ繊維のような合成繊維、他のポリマー、ガラス、スチールのような金属、若しくは他の適切な材料で形成されてもよい。必要ならば、繊維は（ニチノールと呼ばれることもある）ニッケルチタンのような超弾性形状記憶合金で形成されてもよい。これらの材料の組合せも用いられてもよい。
【００５３】
繊維材料はデバイス筐体、ケーブル及び所望の性質を有する絡み合った繊維で形成される他の構造体を提供するように選択されてもよい。例えば、強く、良好な磨耗耐性を呈し、（例えば顔料を組み込むことによって）変色しづらい材料が選択されてもよい。導電（又は誘電）特性又は磁気特性に基づいて材料を選択することが望ましくてもよい。また、費用効果的な材料が用いられることが望ましくてもよい。ナイロン（ポリアミド）やポリエステルのような材料は着色添加物を受容できてもよい。パラアラミド合成ポリマーのような材料は強いかもしれないが、比較的低い磨耗耐性を呈するかもしれない。従って、他の繊維（例えば、適切なナイロンのような良好な磨耗耐性を有する繊維）も組み込んだケーブルにパラアラミド合成繊維を組み込むことが望ましくてもよい。スチールのような材料で形成された繊維ベースケーブルは磁気特性を呈しうる。例えば、スチールベースケーブルは磁化されてもよい。磁化ケーブルは磁化ケーブルを磁気的に引き付けてもよく、それによってケーブルの取扱いを容易にする。磁気ケーブルはまた、（例えばケーブルが使用されていない間に保管される際に）磁石を用いて所定の場所に保持されてもよい。繊維ベースケーブル及び他の構造体はスチール繊維を構造体の少なくとも一部に組み込むことによってこれらの磁気特性を与えられてもよい。相異なる材料の特性を利用するために材料の合成物で個別の繊維を形成することが望ましくてもよい。繊維はまた、複数のフィラメントで形成されてもよい。
【００５４】
単一のフィラメント（即ち、モノフィラメント繊維構造体）で形成された例示の繊維が図３５Ａに示される。特に、図３５Ａはモノフィラメント繊維２２２の断面図を示す。繊維２２２は例えば、ナイロン又は他の適切な材料のモノフィラメントであってもよい。繊維２２２は任意の適切な直径（例えば、０．５ｍｍ未満、０．２ｍｍ未満、０．１ｍｍ未満、０．０５ｍｍ未満、０．０２ｍｍ未満、０．０１ｍｍ未満など）を有してもよい。
【００５５】
複数のフィラメントで形成された例示の繊維の断面図が図３５Ｂに示される。図３５Ｂに示されるように、マルチフィラメント繊維２２４は多数の個別のフィラメント２２６で形成されてもよい。フィラメント２２６は例えば、ナイロン、ポリエステル又は他の適切な材料で形成されてもよい。フィラメント２２６はツール１４（図１）又は繊維２２４を形成するための他の適切な装置を用いて絡み合わされてもよい。
【００５６】
図３５Ｃは相異なる材料の合成物で形成されたモノフィラメント繊維（繊維２２８）の断面図を示す。合成繊維２２８は繊維２２８内で区別できるように残された材料で形成され、その結果として繊維２２８の一部は所定の材料で主に形成され、繊維２２８の他の部分は別の材料で主に形成される。図３５Ｃの例では、繊維２２８は２つの相異なる材料２３０、２３２を有するように示される。一般に、繊維２２８は任意の個数の相異なる材料（例えば、３つ以上の相異なる材料、４つ以上の相異なる材料など）で形成されてもよい。必要ならば、材料２３０、２３２のぞれぞれは材料の混合物で形成されてもよい。繊維２２８は図３５Ｃの例示の断面図で放射線状に分割されるように示される。一般に、繊維２２８は任意の適切な方式で相異なる複数の材料に分割されてもよい。例えば、相異なる材料は放射対称性を有するコーティング（すなわち、相異なる層）に形成されてもよい。
【００５７】
図３５Ｄは相異なる材料で形成されたフィラメント２３６、２３８を有するマルチフィラメント繊維（繊維２３４）の断面図を示す。繊維２３４は任意の適切な比率のフィラメント２３６、２３８を有してもよい。繊維２３４は２つのタイプのフィラメントを有するものとして示されるが、一般に繊維２３４は任意の数のタイプのフィラメントを有してもよい。フィラメント２３６、２３８は絡み合わせツール１４又は他の適切な装置を用いて絡み合わされてもよい。
【００５８】
マルチフィラメント繊維を形成するために用いられてもよい別の例示の構成が図３５Ｅの断面図に示される。図３５Ｅに示されるように、マルチフィラメント繊維２４０は材料の合成物で形成されたフィラメント２４２を有してもよい。図３５Ｅの例では、各フィラメント２４２は材料２４４、２４６の放射状のセグメントを有するように示される。一般に、フィラメント２４２は任意の個数の別々の材料で形成されてもよく、フィラメント２４２は任意の適切な方法で分割されてもよい。図３５Ｅの繊維２４０はただ１つのタイプの合成フィラメント２４２を有するものとして示される。必要ならば、繊維２４２は任意の数のタイプの合成フィラメントで形成されてもよく、合成フィラメントと単一材料フィラメント（すなわち、複数の材料の合成物で形成されていないフィラメント）との混合物で形成されてもよい。フィラメント２４２は絡み合わせツール１４又は他の適切な装置を用いて繊維２４０を形成するために糸のように一緒に巻きつけられてもよい。
【００５９】
繊維ベースケーブルは絶縁ワイヤを含んでもよい。このタイプの構成が図３６Ａ、図３６Ｂの例に示される。図３６Ａは絡み合ったモノフィラメント繊維２４５で形成された繊維ベースシースの断面図を示す。繊維２４５は任意の適切な方式で絡み合わされてもよく、１つ以上の層で形成されてもよい。例えば、繊維２４５は一部の繊維２４５が縦糸を形成し、他の繊維２４５が横糸を形成するように織られてもよい。繊維２４５は繊維２４５が組み合った（interlocking）ループを形成するように編まれてもよい。繊維２４５はまた、組まれてもよい。１つ以上の絶縁ワイヤ２４７はケーブル２４２の内部に位置してもよい。各絶縁ワイヤ２４７は導電性中心部２４８と絶縁体２５０のような絶縁体層とを有してもよい。導電性中心部２４８は銅又は他の適切な導電性材料で形成されてもよい。絶縁体２４８は（例として）プラスティックで形成されてもよい。図３６Ａの例では２つの絶縁ワイヤ２４７を有するケーブル２４２が示される。一般に、ケーブル２４２は任意の適切な本数の絶縁ワイヤ２４７を有してもよい。図３６Ａでは、絶縁ワイヤ２４７は繊維２４５の１つの層で囲まれるように示される。一般に、絶縁ワイヤ２４５は任意の適切な数の繊維層で囲まれてもよい。
【００６０】
図３６Ｂはマルチフィラメント繊維２５４で形成された繊維ベースシースを有する繊維ベースケーブル２５２の断面図を示す。各繊維２５４は多くのフィラメント２５６を有してもよい。繊維２５４は絡み合わせツール１４又は他の適切な装置を用いて織られ、編まれ、組まれ、又は他のように絡み合わされてもよい。ケーブル２５２は複数の絶縁ワイヤ２４７を有してもよく、絶縁ワイヤ２４７のそれぞれは絶縁体２５０に囲まれた導電中心部２４８を有する。図３６Ｂのケーブル２５２は２つの絶縁ワイヤ２４７を有するものとして示される。必要ならば、ケーブル２５２は異なる本数の絶縁ワイヤ２４７（例えば、３つ以上のワイヤ２４７など）を有してもよい。ケーブル２５２はマルチフィラメント繊維２５４の１つの層で形成された繊維ベースシースを有するが、一般にケーブル２５２は任意の適切な厚さ及び任意の数のレイヤの２５２を有する繊維ベースシースを有してもよい。ケーブル２５２はモノフィラメント繊維とマルチフィラメント繊維との混合物で形成された繊維ベースシースを有してもよい。ケーブル２５２は相異なる材料の繊維又は合成材料で形成された繊維を有する繊維ベースシースを有してもよい。
【００６１】
図３７は２つのタイプの繊維で形成された繊維ベースケーブル２５８の断面図である。ケーブル２５８は例えばナイロン又は別のポリマーであってもよい繊維２６０を有する。繊維２６２はパラアラミド、ガラス、スチール又は他の適切な材料のような異なる材料であってもよい。パラアラミド材料のような強い材料で形成された繊維２６２はケーブル２５８に強度を加えてもよい。スチールのような磁気材料で形成された繊維２６２はケーブル２５８に磁気特性を加えてもよい。
【００６２】
繊維２６２はモノフィラメント繊維であってもよいし、マルチフィラメント繊維であってもよい。繊維２６２はまた、合成材料で形成されてもよい。繊維２６０、２６２は織られても、編まれても、組まれても、任意の他の適切な方式で絡み合わされてもよい。ケーブル２５８の繊維ベースシースは２つ分の繊維の厚さを有するものとして示される。一般に、ケーブル用の繊維ベースシースは任意の適切な厚さを有してもよい。繊維２６２は図３７ではケーブル２５８の内部層の一部として示されるが、必要ならば、繊維２６２はまたケーブル２５８の最も外側の面の一部として形成されてもよい。ケーブル２５８はそれぞれが導電中心部２４８と絶縁体２５０とを有する２つの絶縁ワイヤ２４７を有するものとして示される。これは単なる例示である。ケーブル２５８のような繊維ベースケーブルは任意の適切な本数の絶縁ワイヤ２４７を有してもよい。
【００６３】
（二股と呼ばれることもある）シームレスＹ接合部は絡み合わせツール１４でケーブルを形成することによってアクセサリケーブルに形成されてもよい。図３８に示されるように、接合部２７２のようなシームレスＹ接合部を有するケーブル２６４が形成されてもよい。図３８の例の繊維ベースケーブル２６４は丸型輪郭を有し、ケーブル２６４は円柱管状形状を有する。Ｙ接合部２７２の下部に（すなわち、オーディオプラグの近くのヘッドセットの近接端部で）、ケーブル２６４はただ１つのブランチ２６６を有する。ブランチ２６６は直径Ｄ１を有してもよい。Ｙ接合部の後（すなわち、スピーカの近くのヘッドセットの遠方端部）に、ケーブル２６４は２つのブランチ２６８、２７０を有してもよい。ブランチ２６８は直径Ｄ２を有してもよく、ブランチ２７０は直径Ｄ３を有してもよい。直径Ｄ２、Ｄ３のそれぞれはブランチ２６６の直径Ｄ１よりも小さくてもよく、ブランチ２６６の直径Ｄ１以上であってもよい。直径Ｄ２と直径Ｄ３とは必要ならば等しくてもよい。
【００６４】
典型的な構成では、繊維ベースケーブル２６４は絡み合った繊維を有し、その結果ケーブルの１つの端部に存在する繊維の本数はケーブルの別の端部に存在する繊維の本数とほぼ等しい。例えば、ブランチ２６６はＮ１本の繊維を含んでもよい（すなわち、Ｎ１本の繊維がブランチ２６６の断面を通るだろう）。同様に、ブランチ２６８はＮ２本の繊維を含んでもよく、ブランチ２７０はＮ３本の繊維を含んでもよい。ケーブル２６４の繊維はＹ接合部の前に存在する繊維の本数がＹ接合部の後の繊維の本数と等しくなるように、すなわちＮ１＝Ｎ２＋Ｎ３となるように絡み合ってもよい。このタイプの構成におけるブランチ２６８、２７０内の繊維のそれぞれはＹ接合部２７２を通ってブランチ２６６へ延びる。ブランチ２６６に１つの端部を有する各繊維はブランチ２６８及びブランチ２７０の一方に別の端部を有する。電気的に絶縁されたワイヤが構造体に含まれる構成では、ワイヤのすべてがブランチ２６８、２７０の遠方端部にある必要はないが、これらのワイヤは典型的にブランチ２６６からブランチ２６８，２７０へ妨害されずに通る。これは、絡み合わせツール１４は典型的にケーブル形成プロセス中にケーブルへの特定のワイヤの配置を妨げないからである（すなわち、ケーブル形成プロセスは図２０の例に関連して示されるように実質的に連続的である）。
【００６５】
ケーブル２６４の繊維はシースを形成してもよい。絶縁ワイヤはシースに含まれてもよい。ブランチ２６６内の絶縁ワイヤの本数はブランチ２６８内のワイヤの本数にブランチ２７０内のワイヤの本数を加えたものに等しくてもよい。ブランチ２６６に１つの端部を有する各ワイヤはブランチ２６８とブランチ２７０との一方に別の端部を有してもよい。ケーブル２６４がヘッドホンケーブルであるならば、４つのワイヤがブランチ２６６に存在してもよく、このうちの２つはブランチ２６８へ続き、他の２つはブランチ２７０へ続く。ボタンアセンブリ及びマイクのような追加の電子コンポーネントを有するアクセサリ用ケーブルはより多くの絶縁ワイヤ（例えば、ブランチ２６６からブランチ２６８へ延びる別の２つ又は４つのワイヤ）を有してもよい。
【００６６】
繊維ベースケーブルはまた、平坦なリボン状輪郭を有してもよい。このタイプの繊維ベースケーブルはケーブル２７４として図３９Ａに示される。ケーブル２７４は矩形又は長円の断面を有してもよい。接合部２７６のようなＹ接合部がケーブル２７４に形成されてもよい。Ｙ接合部２７６の１つの側において（すなわち、ヘッドセット又は他のアクセサリの近接端部において）、ケーブル２７４は１つのブランチ２７８を有してもよい。Ｙ接合部２７６の別の側において（すなわち、ヘッドセット又は他のアクセサリの遠方端部において）、ケーブル２７４は２つのブランチ２８０、２８２を有してもよい。Ｙ接合部の前後で同数の繊維が存在してもよい。例えば、ブランチ２７８における繊維の本数はブランチ２８０、２８２における繊維の本数に等しくてもよい。ブランチ２８０、２８２のそれぞれは単一のブランチ２７８よりも薄くてもよいし、断面が小さくてもよい。
【００６７】
図３９ＡのＹ接合部２７６のようなＹ接合部は合流Ｙ接合部と呼ばれることがあってもよい。単一のブランチ２７８は幅Ｗ１と厚さＴ１とを有してもよい。Ｙ接合部２７６の他方の側で、ブランチ２８０、２８２はそれぞれ幅Ｗ２と厚さＴ２とを有してもよい。図３９Ｂに示されるように、ケーブル２７４の厚さは、Ｔ１＝Ｔ２となるようにＹ接合部の前後で実質的に等しくてもよい。単一のブランチ２７８は（例として）ブランチ２８０、２８２の幅Ｗ２のほぼ２倍の幅Ｗ１を有してもよい。例えば、ブランチ２７８は２ミリメートルの幅Ｗ１と０．５ｍｍの厚さＴ１とを有してもよい。ブランチ２８０、２８２はそれぞれ１ミリメートルの幅Ｗ２と０．５ミリメートルの厚さＴ２とを有してもよい。これらの寸法は単なる例示である。一般に、ケーブル２７４は任意の適切な寸法を有してもよい。図３９Ａの例では、ブランチ２８０、２８２が同じ断面寸法を有するものとして示されるが、必要ならばブランチ２８０、２８２は相異なる断面寸法を有してもよい。
【００６８】
リボン状輪郭を有する繊維ベースケーブルはまた、図４０に示されるように重畳Ｙ接合部を有してもよい。図４０の繊維ベースケーブル２８６はＹ接合部２８８の１つの側（すなわち、ヘッドホンのペアの近接端部）に１つのブランチ２９０を有し、Ｙ接合部２８８の別の側（すなわち、ヘッドホンの遠方端部）に２つのブランチ２９２、２９４を有する。ブランチ２９２、２９４はＹ接合部２８８で一体化する直前に重畳してもよい。リボン状ケーブル２８６は矩形又は長円の断面を有してもよい。単一のブランチ２９０は厚さＴ１よりも大きな幅Ｗ１を有してもよい。ブランチ２９２、２９４は厚さＴ２よりも大きな幅Ｗ２を有してもよい。単一のブランチ２９０はブランチ２９２、２９４の厚さＴ２のほぼ２倍である厚さＴ１を有してもよい。例えば、単一のブランチ２９０は１．５ミリメートルの幅と１．０ミリメートルの厚さとを有してもよい。ブランチ２９２、２９４はそれぞれ１．５ミリメートルの幅Ｗ２と１．０ミリメートルの厚さＴ２とを有してもよい。これらの寸法は単なる例示である。一般に、ブランチ２９２、２９４は同じ寸法を有する必要はなく、単一のブランチ２９０の厚さはブランチ２９２、２９４の２倍の厚さである必要はない。重畳Ｙ接合部２８８はシームレスＹ接合部であってもよい。繊維はケーブル２８６の長さに沿ってシームレスに続いてもよい。単一のブランチ２９０内の繊維はＹ接合部２９９を通り、ブランチ２９２、２９４の何れか一方に入ってもよい。単一のブランチ２９０に存在する繊維の本数はブランチ２９２、２９４内の繊維の本数の合計であってもよい。
【００６９】
図３９及び図４０のリボン形状ケーブルは矩形、長円又は楕円の輪郭を有してもよい。図４１Ａ〜図４１Ｄの断面図にリボン形状ケーブルの例が示される。図４１Ａ〜図４１Ｄの繊維ベースケーブルのそれぞれは厚さＴよりも大きな幅Ｗを有する。図４１Ａのケーブル２９６は丸みを帯びていない角部を有する略矩形である断面を有する。図４１Ｂのケーブル２９８は丸みを帯びた角部を有する略矩形である断面を有する。ケーブル２９８は長円形状の断面を有すると言ってもよい。図４１Ｃのケーブル３００は平坦な楕円形状の断面を有する。図４１Ｄのケーブル３０２の断面は図４１Ｃのケーブル３００よりも丸い楕円である。
【００７０】
図４２のヘッドホン３０４はＹ接合部３０６のようなシームレスＹ接合部を有するケーブル３２０のような繊維ベースケーブルを有してもよい。Ｙ接合部３０６の１つの側はケーブル３２０の近接端部でオーディオコネクタ３１０につながる単一のブランチ３０８を有してもよい。Ｙ接合部３０６の別の側はケーブル３２０の遠方部でイヤホンにそれぞれがつながる２つのブランチ３１２、３１４を有してもよい。ブランチ３１２はボタンアセンブリ又は他の適切な入出力コンポーネントのようなユーザインタフェースを有してもよい。入出力コンポーネントは、１つ以上のマイク、状態インジケータ、ボタン、スイッチなどを含んでもよい。本明細書で例として記載されることもある１つの適切な構成では、ブランチ３１２にはスイッチベースコントローラ３１８のようなボタンコントローラアセンブリが与えられてもよい。ユーザはオーディオコネクタ３１０に接続される電子デバイスへ情報を送信するためにコントローラ３１８を用いてもよい。例えば、ユーザは、複数の相異なるボタンベーススイッチ（例えば、巻き戻し又はバックボタン、停止又はポーズボタン、早送り又は再生ボタンなど）のうちの１つを作動させてもよい。コントローラ３１８のマイクは（電話通話中の音声マイクとして機能するように）ユーザの音声を収集するために用いられてもよい。ヘッドホン３０４はまた、コントローラ３１８から離れた位置に配置されたマイクを組み込んでもよい。
【００７１】
図４２の繊維ベースケーブル３２０は絶縁された導電ワイヤを囲む繊維ベースシースを有してもよい。ヘッドホン３０４はユーザにオーディオを提供するためにオーディオコネクタ３１０の接点（端子）を各イヤホン３１６に接続するワイヤを有してもよい。ヘッドホン３０４は例えばオーディオコネクタ３１０から各イヤホン３１６へ続く２つのワイヤを有してもよい。各ワイヤペアのワイヤの１つは共通接地として機能してもよい。各ペアの他方のワイヤはそれぞれ、左オーディオワイヤ又は右オーディオワイヤのどちらか一方として機能してもよい。ボタン及びオプションのマイク機能を提供するために、オーディオコネクタ３１０からコントローラ３１８へ追加のワイヤが続いてもよい。例えば、コントローラ３１８への信号及びコントローラ３１８からの信号を伝達するために２つの絶縁ワイヤ又は２つの導電同軸ケーブルが用いられてもよい。（例えばコントローラ３１８内の追加の回路と連携して）ヘッドホン３０４にマイクが組み込まれるならば、マイクからコネクタ３１０へ信号を送信する追加の導電ワイヤが存在してもよい。必要ならば、導電ワイヤは繊維ベースヘッドホン３０４の繊維に絡み合わされてもよい。
【００７２】
図２０に関連して記載されたタイプの連続プロセスを用いてケーブル３０４が形成される場合に、同数の繊維がケーブル３２０の各端部に存在してもよい。ブランチ３０８内の繊維の本数はブランチ３１２、３１４内の繊維の本数の合計であってもよい。また、同数の絶縁ワイヤがケーブル３２０の各端部に存在してもよい。例えば、６本の絶縁ワイヤがブランチ３０８に存在するならば、２本の絶縁ワイヤがブランチ３１４に存在してもよく、４本の絶縁ワイヤがブランチ３１２の全長に沿って存在してもよい。コネクタ３１０をコントローラ３１８に接続するワイヤは、これらのワイヤがコントローラ３１８とイヤホン３１６の近くの追加のコンポーネントとの間で信号を伝達する必要がないとしても、ブランチ３１２上をイヤホン３１６へと続いてもよい。
【００７３】
繊維ベースケーブル内の導電ワイヤは繊維ベースシース内に含まれる必要はない。例えば、導電ワイヤは他の繊維と直接に絡み合ってもよい。必要ならば、ケーブル内の他の繊維の間での導電ワイヤの相対位置は、ケーブルの長さに沿った位置の関数として絡み合わせツール１４により変えられてもよい。例えば、導電ワイヤはケーブルに沿った一部の位置でケーブルのセンターコアに位置してもよいし、ケーブルに沿った他の位置でケーブルの表面に位置してもよい。このタイプの構成はオーディオコネクタ３１０の接点をコントローラ３１８内の回路に接続するためのものであってもよい。
【００７４】
ワイヤがコントローラ３１８内の回路に相互接続されるように繊維ベースケーブルの内部の絶縁ワイヤの相対位置を絡み合わせツール１４が調整する例示の構成が図４３Ａ〜図４３Ｄの例で説明される。
【００７５】
繊維ベースケーブル３２２の一部の透視図が図４３Ａに示される。区間３２４は統合スイッチ用の端子を形成するケーブル３２２の領域であってもよい。このタイプの構成では、スイッチは露出ワイヤのペアで形成されてもよく、ヘッドセット用のより複雑な多機能ボタンコントローラを実装するための回路を含む必要はない。図４３Ｂ〜図４３Ｄはケーブル３２２のＸ−Ｘ線、Ｙ−Ｙ線及びＺ−Ｚ線に沿ったケーブル３２２の断面図である。
【００７６】
図４３Ｂは位置Ｘにおけるケーブル３２２の断面図であり、位置Ｘはスイッチ領域３２４の１つの側である。図４３Ｂのケーブル３２２は絡み合った繊維３３２を有する。繊維３３２はモノフィラメント繊維であってもよいし、マルチフィラメント繊維であってもよい。繊維３３２は絶縁された導電ワイヤ２４７の周りのシースに配置されてもよい。繊維３３２は２つの繊維層の厚さを有するシースに配置されたものとして図４３Ｂに示される。一般に、繊維シースは任意の適切な厚さを有してもよい。絶縁ワイヤ２４７はそれぞれ、中心部２４８のような導電中心部を囲む絶縁体２５０を有する。図４３Ｂには４つの絶縁ワイヤ２４７が示される。一般に、ケーブル３２２は任意の適切な本数の絶縁ワイヤを有してもよい。絶縁ワイヤ２４７は個別のワイヤとして提供されてもよく、撚り対線として提供されてもよく、同軸ケーブルのパーツなどとして提供されてもよい。
【００７７】
図４３Ｃはケーブル３２２のＹ−Ｙ線を通る断面図である。図４３Ｃでは、ワイヤ２４７の２つが絡み合わせツール１４によってケーブル３２２の表面に配置されており、端子３４２、３４４を形成するようにそれらの絶縁体がはがされている。２つの他のワイヤ２４７は絡み合った繊維３３２内に埋め込まれたままである。
【００７８】
ケーブル３２２の製作中に、絶縁ワイヤがスイッチ領域３２４の外側の領域において（図４３Ａのケーブル区間３２２の位置Ｘ、Ｚにおいて）ケーブルのコア領域の内部に含まれることを保証するために絡み合わせ機械が用いられてもよい。これは、（例えば引っかきのような）損傷からワイヤを保護するのに役立つ。絡み合わせツールは図４３Ｃの位置Ｙのような所望の位置でケーブル３２２の表面に絶縁ワイヤを選択的にもたらしてもよい。繊維ベースケーブル３２２が形成された後（又は前）に、絶縁ワイヤ２４７は、位置Ｙのような位置で自身の絶縁体２５０を選択的に剥がされて、自身の導電中心部２４８をケーブルの表面に露出してもよい。端子３４２、３４４はスイッチ３２４を形成してもよい。このようなスイッチ３２４はユーザによって接触された場合に短絡されてもよい。例えば、端子３４２、３４４は、ユーザの指が端子３４２、３４４を橋渡しした場合にユーザの指（指３４６）の皮膚によって互いに電気的に接続されてもよい。端子３４２、３４４はまた、メカニカルレバー又は他の切替機構によって橋渡しされてもよい。
【００７９】
図４３Ｄは位置Ｚにおける繊維ベースケーブル３２２を通る断面図である。位置Ｚにおいて、絶縁された導電ワイヤ２４７は繊維３３２の内部に存在し、絶縁体２５０は剥がされていない。繊維３３２は絶縁ワイヤ２４７を囲む繊維ベースシースを形成してもよいし、繊維３３２は絶縁ワイヤ２４７に絡み合ってもよい。
【００８０】
図４４Ａはコントローラ（例えば、図４２のコントローラ３１８のようなコントローラ）を有する繊維ベースケーブル３５４を示す。図４４Ａに示されるように、コントローラ３４５はケーブルの一部を囲む筐体を有してもよい。コントローラ３４５は（例として）スイッチ、複数のボタンとオプションのマイクとを有するスイッチベースボタンアセンブリ内の回路のような回路、又は他の適切なユーザインタフェース回路であってもよい。コントローラ３３４のようなコントローラはケーブル３５４のワイヤを介した電子デバイスとの通信を支援する回路を含んでもよい。コントローラ３４５はボタン３４６のような１つ以上のスイッチベースボタンを有してもよい。位置Ｘ、Ｙ、Ｚにおけるケーブル３５４の断面図が図４４Ｂ、図４４Ｃ及び図４４Ｄに示される。
【００８１】
図４４Ｂは図４４ＡのＸ−Ｘ線を通るケーブル３５４の断面図である。図４４Ｂの絡み合った繊維３３２はモノフィラメントワイヤ又はマルチフィラメントワイヤであってもよいし、任意の適切な材料で形成されてもよい。絶縁された導電ワイヤ２４７は導電中心部２４８を囲む絶縁体２５０を有する。４つのワイヤ２４７が図４４Ｂに示される。一般に、ケーブル３５４は任意の適切な本数のワイヤを有してもよい。必要ならば、ワイヤ２４７はまた、同軸ケーブルの形式で提供されてもよい。図４４Ｂでは、絡み合った繊維３３２は絶縁ワイヤ２４７を囲むものとして示される。
【００８２】
図４４Ｃは図４４ＡのＹ−Ｙ線に沿ったコントローラ３４５及び関連するボタン３４６を通る断面図である。絶縁ワイヤ２４７のうちの２つは絡み合わせツール１４によってケーブル３５４の表面に配置され、それらの絶縁体２５０は剥がされている。これにより、ワイヤ２４７の導電中心部２４８が露出され、端子３４２、３４４が形成される。端子３４２は半田３４８によってスイッチ３４６のパッド３５２又はコントローラ３４５内の他の回路に接続されてもよい。端子３４４は半田３５０によってスイッチ３４６のパッド３５４又はコントローラ３４５内の他の回路に接続されてもよい。ボタン３４６がユーザによって押された場合に、端子３４２、３４４は電気的に接続されて（すなわち、短絡されて）、スイッチを閉じてもよい。他の構成（例えば、コントローラ３４５がより複雑な回路で形成される構成）では、ボタン３４６の作動の結果として、端子３４２、３４４に接続されたワイヤを介して通信信号が送信されてもよい。コントローラ３４５を形成するためにスイッチを用いることは単なる例示である。
【００８３】
図４４Ｄは図４４ＡのＺ−Ｚ線を通るケーブル３５４の断面図である。図４４Ｂのように、絶縁された導電ワイヤ２４７は絡み合わせツール１４によって絡み合った繊維３３２の内部に埋め込まれてもよい。ケーブルのこの領域では、ワイヤ２４７は典型的に絶縁体２５０が無傷である（すなわち、絶縁体は剥がされておらず、それ故導電中心部２４８を囲んでいる）。
【００８４】
図２０のケーブルのような繊維ベースケーブルの形成中に、図１の絡み合わせツール１４は（位置Ｘにおける）ケーブル３５４の内部から（位置Ｙにおける）ケーブル３５４の表面へ、そして（位置Ｚにおいて）再びケーブル３５４の内部へ絶縁ワイヤ３３４をもたらすために用いられてもよい。ケーブル３５４が形成された後に、端子３４２、３４４を形成するように位置Ｙにおいて絶縁体３４０がワイヤ３３４から剥がされてもよい。その後、スイッチ又はより複雑な入出力回路が端子３４２、３４４に接続されてもよい。必要ならば、３つ以上のワイヤが剥がされ、入出力回路に接続されてもよい。例えば、３つ以上のワイヤが剥がされ、スイッチ又はコントローラアセンブリ３４５内のより複雑な回路に接続されてもよいし、４つ以上のワイヤが剥がされ、スイッチ又はコントローラ３４５内のより複雑な回路に接続されてもよい。
【００８５】
１つの実施形態では、スピーカのペアと、絡み合った繊維で形成された繊維ベースケーブルとを備えるヘッドホンが提供され、繊維ベースケーブルはシームレスＹ接合部を有し、繊維ベースケーブルの第１ブランチはシームレスＹ接合部の１つの側でオーディオプラグに接続され、繊維ベースケーブルの第２ブランチ及び第３ブランチはそれぞれ、シームレスＹ接合部の別の側でスピーカのペアのそれぞれのスピーカに接続される。
【００８６】
別の実施形態では、スピーカは絡み合った繊維で少なくとも部分的に形成されたイヤホンを含む。
【００８７】
別の実施形態では、イヤホンはそれぞれ、音を遮断する絡み合った繊維の第１部分と音を透過する絡み合った繊維の第２部分とを有する。
【００８８】
別の実施形態では、繊維ベースケーブルは第１導電ワイヤ束及び第２導電ワイヤ束を有し、第１導電ワイヤ束は繊維ベースケーブルの第１ブランチ及び第２ブランチに含まれ、第２導電ワイヤ束は繊維ベースケーブルの第１ブランチ及び第３ブランチに含まれる。
【００８９】
別の実施形態では、ヘッドホンは繊維ベースケーブルの第２ブランチにコントローラを更に備え、第１導電ワイヤ束の少なくとも１つの導電ワイヤはコントローラに接続される。
【００９０】
別の実施形態では、少なくとも１つの導電ワイヤは所与の領域以外で繊維ベースケーブルの長さに沿って絡み合った繊維で囲まれ、少なくとも１つの導電ワイヤは所与の領域で繊維ベースケーブルの表面に位置する。
【００９１】
別の実施形態では、少なくとも１つの導電ワイヤは所与の領域にスイッチ端子を形成する剥がされた部分を有するワイヤのペアを有する。
【００９２】
別の実施形態では、繊維ベースケーブルの一部はオーディオプラグの第１部分を覆うシースを形成する。
【００９３】
別の実施形態では、繊維ベースケーブルはシースに組み込まれるとともにオーディオプラグの第１部分を覆うバインダを更に有する。
【００９４】
別の実施形態では、繊維ベースケーブルは剛性張力緩和構造体を有し、絡み合った繊維は剛性張力緩和構造体の少なくとも一部の周りにシースを形成する。
【００９５】
別の実施形態では、繊維ベースケーブルは長さ及び柔軟性を有し、繊維ベースケーブルの長さに沿って柔軟性を調整するように繊維ベースケーブルにバインダが選択的に組み込まれる。
【００９６】
別の実施形態では、絡み合った繊維はモノフィラメント繊維を含む。
【００９７】
別の実施形態では、絡み合った繊維は、ナイロン繊維、パラアラミド繊維、ポリエステル繊維、磁気材料繊維及び形状記憶材料繊維からなるグループから選択された繊維を含む。
【００９８】
別の実施形態では、絡み合った繊維はそれぞれマルチフィラメント繊維を含む。
【００９９】
別の実施形態では、絡み合った繊維はそれぞれ複数の相異なる繊維材料で形成された合成繊維を含む。
【０１００】
別の実施形態では、絡み合った繊維は第１グループの繊維及び第２グループの繊維を含み、第１グループの繊維は繊維ベースケーブルの第１ブランチ及び第２ブランチに含まれ、第２グループの繊維は繊維ベースケーブルの第１ブランチ及び第３ブランチに含まれる。
【０１０１】
別の実施形態では、繊維ベースケーブルは少なくとも１つの略円形の断面を有する。
【０１０２】
別の実施形態では、繊維ベースケーブルは少なくとも１つの略矩形の断面を有する。
【０１０３】
１つの実施形態では、シームレスＹ接合部を有するケーブルシースを形成する絡み合った繊維と、ベース部を有するオーディオコネクタとを備える繊維ベースケーブルが提供され、ケーブルシースの第１部分はベース部に接続される。
【０１０４】
別の実施形態では、繊維ベースケーブルはケーブルシースの第１部分にバインダを更に備え、ケーブルシースの第１部分はベース部の少なくとも一部を覆う。
【０１０５】
別の実施形態では、繊維ベースケーブルは長さ及び柔軟性を有し、繊維ベースケーブルはケーブルの長さに沿ってケーブルの柔軟性を変えるバインダをケーブルの領域に更に備える。
【０１０６】
別の実施形態では、絡み合った繊維はケーブルシースを形成する複数の絡み合ったモノフィラメントナイロン繊維を含む。
【０１０７】
別の実施形態では、繊維ベースケーブルはケーブルシースの第１部分とケーブルシースの第２部分との間の領域を更に備え、領域は第１部分よりも柔軟性が高く第２部分よりも柔軟性が低い。
【０１０８】
別の実施形態では、ケーブルシースの第１部分はバインダで完全に充填され、ケーブルシースの第２部分はバインダを有さない。
【０１０９】
別の実施形態では、繊維ベースケーブルはケーブルシースの第１部分と第２部分との間の領域を更に備え、領域の第１部分はバインダを有し、領域の第２部分はバインダを有さない。
【０１１０】
別の実施形態では、領域は放射非対称パターンに分布したバインダを有する。
【０１１１】
１つの実施形態では、ヘッドホンケーブル用のシースを形成する方法であって、絡み合わせツールに繊維を搭載する工程と、ヘッドホンケーブル用の絡み合った繊維のシースを形成するように絡み合わせツールを用いて繊維を絡み合わせる工程と、シースの絡み合った繊維にバインダを組み込む工程と、バインダを硬化する工程とを有することを特徴とする方法が提供される。
【０１１２】
別の実施形態では、バインダを組み込む工程は、シースがその長さに沿って強度の程度を変えるためにマトリクス組み込みツールを用いてシースの絡み合った繊維にバインダを選択的に組み込む工程を含む。
【０１１３】
別の実施形態では、繊維は第１タイプの繊維及び第２タイプの繊維を含み、絡み合わせツールを用いて繊維を絡み合わせる工程は、第２タイプの繊維に対する第１タイプの繊維の比率がシースの長さに沿って変わるように第２タイプの繊維に第１タイプの繊維を組み込む工程を含む。
【０１１４】
別の実施形態では、方法は絡み合わせツールを用いてシースにシームレスＹ接合部を形成する工程を更に有する。
【０１１５】
１つの実施形態では、ヘッドホンであって、繊維ベースケーブルと、絡み合った繊維で少なくとも部分的に形成されたイヤホンとを備えることを特徴とするヘッドホンが提供される。
【０１１６】
別の実施形態では、イヤホンは、音を遮断する絡み合った繊維の第１部分と音を透過する絡み合った繊維の第２部分とを有する。
【０１１７】
別の実施形態では、繊維ベースケーブルはシームレスＹ接合部を含む。
【０１１８】
別の実施形態では、ヘッドホンはプラスティック構造体を有するオーディオプラグを更に備え、繊維ベースケーブルはプラスティック構造体を覆うシースを含む。
【０１１９】
１つの実施形態では、ヘッドホンであって、スピーカと、オーディオコネクタと、スピーカとオーディオコネクタとの間に結合され、ケーブル表面にスイッチ領域を有する繊維ベースケーブルと、スイッチ領域のケーブル表面に露出した導体で形成されたスイッチとを備えることを特徴とするヘッドホンが提供される。
【０１２０】
別の実施形態では、繊維ベースケーブルは誘電性繊維及びワイヤを有し、ワイヤはスイッチ領域の外側にある繊維ベースケーブルの部分において誘電性繊維で囲まれ、スイッチ領域においてケーブル表面に位置する。
【０１２１】
１つの実施形態では、電子デバイスであって、アンテナと、絡み合った繊維及び絡み合った繊維を結びつけるバインダを有する筐体とを備え、筐体の絡み合った繊維の第１部分はアンテナ用のアンテナ窓を形成し、高周波アンテナ信号はアンテナ窓を通り、筐体の絡み合った繊維の第２部分は高周波アンテナ信号を遮断する導電性の絡み合った繊維を含むことを特徴とする電子デバイスが提供される。
【０１２２】
別の実施形態では、筐体の絡み合った繊維の第２部分はシームレスであり平坦でない。
【０１２３】
別の実施形態では、筐体の絡み合った繊維の第２部分は丸みを帯びた角部を有する。
【０１２４】
別の実施形態では、絡み合った繊維は織り合わされた繊維を含む。
【０１２５】
別の実施形態では、絡み合った繊維はナイロン繊維を含む。
【０１２６】
別の実施形態では、絡み合った繊維の第２部分は統合ループを含む。
【０１２７】
１つの実施形態では、電子デバイス筐体であって、絡み合った繊維と、シームレスであり平坦でない筐体構造体に絡み合った繊維を結びつけるバインダとを備えることを特徴とする電子デバイス筐体が提供される。
【０１２８】
別の実施形態では、シームレスであり平坦でない筐体構造体は丸みを帯びた角部を形成する部分を有する。
【０１２９】
別の実施形態では、シームレスであり平坦でない筐体構造体は複合曲面を形成する部分を有する。
【０１３０】
別の実施形態では、シームレスであり平坦でない筐体構造体で覆われた内部支持構造体を更に備える。
【０１３１】
別の実施形態では、内部支持構造体は繊維の平坦なシートを含む。
【０１３２】
別の実施形態では、絡み合った繊維は織り合わされた繊維を含む。
【０１３３】
別の実施形態では、電子デバイス筐体は絡み合った繊維で形成されたヒンジを更に備える。
【０１３４】
別の実施形態では、繊維はプラスティック繊維を含む。
【０１３５】
別の実施形態では、繊維は導電性繊維を含む。
【０１３６】
別の実施形態では、繊維の一部は高周波信号を遮断する筐体の導電部分を形成する導電性繊維を含み、繊維の一部は高周波信号を透過する筐体のアンテナ窓部分を形成する誘電性繊維を含む。
【０１３７】
別の実施形態では、電子デバイス筐体はコンピュータ筐体を更に備える。
【０１３８】
１つの実施形態では、絡み合った繊維で電子デバイス筐体を形成する方法であって、絡み合わせツールに繊維を搭載する工程と、少なくとも１つの曲面を有する電子デバイス筐体構造体を形成するように絡み合わせツールを用いて繊維を絡み合わせる工程と、マトリクス組み込みツールを用いて絡み合った繊維にバインダを組み込む工程と、電子デバイス筐体構造体を強固にするためにバインダを硬化する工程とを有することを特徴とする方法が提供される。
【０１３９】
別の実施形態では、絡み合わせツールを用いて繊維を絡み合わせる工程は、電子デバイス筐体の面の曲面に複合曲面を形成するように繊維を絡み合わせる工程を含む。
【０１４０】
別の実施形態では、絡み合わせツールを用いて繊維を絡み合わせる工程は、電子デバイス筐体の面の曲面に複合曲面を形成するように繊維を絡み合わせる工程を含む。
【０１４１】
上記は本発明の原理の単なる例示であり、本発明の範囲及び精神から逸脱せずに様々な変形が当業者によってなされうる。上述の実施形態は個別に実施されてもよく、任意の組み合わせで実施されてもよい。
【図１】
0005467149.tif 000002
【図２】
0005467149.tif 000003
【図３】
0005467149.tif 000004
【図４】
0005467149.tif 000005
【図５】
0005467149.tif 000006
【図６】
0005467149.tif 000007
【図７】
0005467149.tif 000008
【図８】
0005467149.tif 000009
【図９】
0005467149.tif 000010
【図１０】
0005467149.tif 000011
【図１１】
0005467149.tif 000012
【図１２】
0005467149.tif 000013
【図１３】
0005467149.tif 000014
【図１４】
0005467149.tif 000015
【図１５】
0005467149.tif 000016
【図１６】
0005467149.tif 000017
【図１７】
0005467149.tif 000018
【図１８】
0005467149.tif 000019
【図１９】
0005467149.tif 000020
【図２０】
0005467149.tif 000021
【図２１】
0005467149.tif 000022
【図２２】
0005467149.tif 000023
【図２３】
0005467149.tif 000024
【図２４】
0005467149.tif 000025
【図２５】
0005467149.tif 000026
【図２６】
0005467149.tif 000027
【図２７】
0005467149.tif 000028
【図２８】
0005467149.tif 000029
【図２９】
0005467149.tif 000030
【図３０】
0005467149.tif 000031
【図３１】
0005467149.tif 000032
【図３２】
0005467149.tif 000033
【図３３】
0005467149.tif 000034
【図３４】
0005467149.tif 000035
【図３５Ａ】
0005467149.tif 000036
【図３５Ｂ】
0005467149.tif 000037
【図３５Ｃ】
0005467149.tif 000038
【図３５Ｄ】
0005467149.tif 000039
【図３５Ｅ】
0005467149.tif 000040
【図３６Ａ】
0005467149.tif 000041
【図３６Ｂ】
0005467149.tif 000042
【図３７】
0005467149.tif 000043
【図３８】
0005467149.tif 000044
【図３９Ａ】
0005467149.tif 000045
【図３９Ｂ】
0005467149.tif 000046
【図４０】
0005467149.tif 000047
【図４１Ａ】
0005467149.tif 000048
【図４１Ｂ】
0005467149.tif 000049
【図４１Ｃ】
0005467149.tif 000050
【図４１Ｄ】
0005467149.tif 000051
【図４２】
0005467149.tif 000052
【図４３Ａ】
0005467149.tif 000053
【図４３Ｂ】
0005467149.tif 000054
【図４３Ｃ】
0005467149.tif 000055
【図４３Ｄ】
0005467149.tif 000056
【図４４Ａ】
0005467149.tif 000057
【図４４Ｂ】
0005467149.tif 000058
【図４４Ｃ】
0005467149.tif 000059
【図４４Ｄ】
0005467149.tif 000060